(57)【要約】【課題】段差のある基礎と外壁に亘って縦枠を、その基礎との間に隙間が生じることなく簡単に取付けできると共に、その縦枠の取付け部分の見栄えの良い屋外構造物とする。【解決手段】基礎１０に下部アタッチメント２０を、外壁１１よりも室外側に突出して取付け、その外壁１１に上部アタッチメント３０を取付け、この上部アタッチメント３０と下部アタッチメント２０の突出した部分２０ａに亘って縦枠４を所定ストロークだけスライド自在に嵌め込んでビス１７で固着し、前記基礎１０と外壁１１の段差を下部アタッチメント２０で吸収して隙間が生じることなく、簡単に取付けできると共に、見栄えの良い縦枠取付け部分とすることができる。【選択図】図２
2005273225.tif 000002
【特許請求の範囲】
【請求項１】
建家と隣接して設置され、基礎と、この基礎の上に設けた外壁に亘って縦枠を取付ける屋外構造物において、
前記基礎の室外側面に下部アタッチメントを、外壁の室外側面よりも突出して設け、
前記外壁の室外側面に上部アタッチメントを取付け、
この上部アタッチメントと前記下部アタッチメントの外壁の室外側面よりも突出した部分に亘って前記縦枠を、室内外側方向に所定ストロークだけスライド自在に嵌め込んで、固着具でそれぞれ固着したことを特徴とする屋外構造物。
【請求項２】
建家と隣接して設置され、基礎と、この基礎の上に設けた外壁に亘って縦枠を取付ける屋外構造物において、
前記基礎の室外側面に下部アタッチメントを、外壁の室外側面よりも突出して設け、
前記外壁の室外側面に、前記縦枠を取付け、
この縦枠の下部寄りを、前記下部アタッチメントの外壁の室外側面よりも突出した部分に、室内外側方向に所定ストロークだけスライド自在に嵌め込んで、固着具で固着したことを特徴とする屋外構造物。
【請求項３】
下部アタッチメントは、基部と一対の取付板を有し、この一対の取付板の外側面に沿って縦枠がスライド自在に嵌め込みされる形状で、
前記一対の取付板の長手方向中間部に切り取り用溝が形成されている請求項１又は２記載の屋外構造物。
【請求項４】
下部アタッチメントは、基部と一対の取付板を有し、この一対の取付板の外側面に沿って縦枠がスライド自在に嵌め込みされる形状で、
前記取付板の長さが異なる複数の下部アタッチメントを備えている請求項１又は２記載の屋外構造物。
【発明の詳細な説明】
【技術分野】
【０００１】
本発明は、風除室やサンルーム等の建家の屋外側に隣接して設置される屋外構造物に関する。
【背景技術】
【０００２】
寒冷地などにおいては建家の屋外側に隣接して風除室を、建家の出入口を覆うように設置し、その建家の出入口を解放した時に室内と室外が直接連通しないようにしている。
このような風除室としては、特許文献１に開示したものが知られている。
この風除室は、建家の外壁に縦取付枠を固着具で固着し、その縦取付枠に縦枠を嵌合して取付け、この縦枠にパネル材を取付けている。
【０００３】
【特許文献１】実公平１−２４２９１号公報
【発明の開示】
【発明が解決しようとする課題】
【０００４】
前述した従来の風除室は、建家の出入口先の地盤に設置されるのが一般的で、その縦枠は地盤まで連続して取付けられるから、縦取付枠は外壁の室外側面と、地盤に設置され外壁が取付けられる基礎の室外側面に渡って取付けられる。
一方、基礎の室外側面よりも外壁の室外側面が突出して段差がある建家があり、その突出寸法は不揃いである。
例えば、外断熱タイプの外壁は、建物躯体の室外側に断熱材を設け、この断熱材の室外側に外壁材を取付けて外壁としているので、その外壁の室外側面が基礎の室外側面よりも大きく突出して大きな段差がある。
【０００５】
このために、前述した従来の風除室においては、外壁に取付けた縦取付け枠と基礎との間に隙間を生じ、その隙間で風除室が室外側に連通し、風除室としての機能が低下するから、施工現場において施工業者が端材等を利用して前述の隙間を閉塞している。
したがって、縦取付枠を取付けた後に、その縦取付枠と基礎との間の隙間を閉塞する作業が必要で、風除室の取付け作業が面倒である。
しかも、隙間を端材等で閉塞したのでは、縦枠の取付け部分の見栄えが悪い。
前述のことは風除室に限ることはなく、サンルームの場合でも同様である。すなわち、建家の屋外側に隣接して設置され、その縦枠が外壁と基礎に亘って取付けられる屋外構造物は、前述と同様の課題を有する。
【０００６】
本発明の目的は、段差のある基礎と外壁に亘って縦枠を、基礎との間に隙間が生じないように簡単に取付けできると共に、縦枠の取付け部分の見栄えが良い屋外構造物を提供することである。
【課題を解決するための手段】
【０００７】
請求項１に係る発明としては、建家と隣接して設置され、基礎と、この基礎の上に設けた外壁に亘って縦枠を取付ける屋外構造物において、
前記基礎の室外側面に下部アタッチメントを、外壁の室外側面よりも突出して設け、
前記外壁の室外側面に上部アタッチメントを取付け、
この上部アタッチメントと前記下部アタッチメントの外壁の室外側面よりも突出した部分に亘って前記縦枠を、室内外側方向に所定ストロークだけスライド自在に嵌め込んで、固着具でそれぞれ固着したことを特徴とする屋外構造物である。
【０００８】
請求項２に係る発明としては、建家と隣接して設置され、基礎と、この基礎の上に設けた外壁に亘って縦枠を取付ける屋外構造物において、
前記基礎の室外側面に下部アタッチメントを、外壁の室外側面よりも突出して設け、
前記外壁の室外側面に、前記縦枠を取付け、
この縦枠の下部寄りを、前記下部アタッチメントの外壁の室外側面よりも突出した部分に、室内外側方向に所定ストロークだけスライド自在に嵌め込んで、固着具で固着したことを特徴とする屋外構造物である。
【発明の効果】
【０００９】
請求項１に係る発明によれば、下部アタッチメントと上部アタッチメントの取付け作業と、この下部アタッチメントと上部アタッチメントに亘って縦枠を嵌め込んで固着具によって固着する作業によって、段差のある基礎と外壁に亘って縦枠を取付けでき、その基礎との間に隙間が生じることがない。
したがって、段差のある基礎と外壁に亘って縦枠を、基礎との間に隙間が生じないように簡単に取付けできる。
しかも、下部アタッチメントと上部アタッチメントに縦枠が嵌め込んで取付けてあるから、その縦枠の取付け部分の見栄えが良い。
【００１０】
また、縦枠は下部アタッチメント、上部アタッチメントに対して室内外側方向に所定ストロークだけスライドするから、基礎と外壁との段差が、そのストローク範囲内で異なる場合にも対応できる。
【００１１】
請求項２に係る本発明によれば、下部アタッチメントの取付け作業と、この下部アタッチメントに縦枠を嵌め込んで固着具によって固着する作業によって、段差のある基礎と外壁に亘って縦枠を取付けでき、その基礎との間に隙間が生じることがない。
したがって、段差のある基礎と外壁に亘って縦枠を、基礎との間に隙間が生じないように簡単に取付けできる。
しかも、下部アタッチメントに縦枠が嵌め込んで取付けてあるから、その縦枠の取付け部分の見栄えが良い。
【００１２】
また、縦枠は下部アタッチメントに対して室内外側方向に所定ストロークだけスライドするから、基礎と外壁との段差が、そのストローク範囲内で異なる場合にも対応できる。
【発明を実施するための最良の形態】
【００１３】
図１に示すように、屋外構造物、例えば風除室１は囲い部２と出入り口部３を備えている。
前記囲い部２、出入り口部３の両方又は一方を構成する縦枠４、つまり風除室１を構成する縦枠４が建物の基礎１０と外壁１１に亘って取付けてある。
この実施の形態では、一側枠部５にパネル材６を取付けて囲い部２とし、他側枠部７に障子８を引き違いに装着して出入り口部３を構成している。
前記一側枠部５の縦枠４が基礎１０と外壁１１に亘って取付けてある。
図２に示すように、基礎１０の上に土台１２が取付けてあり、この土台１２に柱１３を連結し、その柱１３の室外側面にコンパネ１４を取付けると共に、そのコンパネ１４に胴縁１５を介して前記外壁１１が取付けてある。
前記基礎１０の室外側面１０ａよりも外壁１１の室外側面１１ａが突出して基礎１０と外壁１１は段差を有している。
前記基礎１０の上部に水切り１６が取付けてある。
【００１４】
次に、縦枠４の取付けについて説明する。
図１と図２に示すように、前記基礎１０の室外側面１０ａに下部アタッチメント２０が設けてある。前記外壁１１の室外側面１１ａに上部アタッチメント３０が取付けてある。
前記下部アタッチメント２０は外壁１１の室外側面１１ａよりも突出し、その突出した部分２０ａと上部アタッチメント３０に亘って縦枠４が図３、図４に示すように室内外側方向に所定ストロークＬ１だけスライド自在に嵌め込んで、固着具、例えばビス１７で固着してある。
【００１５】
このようであるから、縦枠４の嵌め込み程度を可変、つまり縦枠４を下部アタッチメント２０、上部アタッチメント３０に沿って室内外側方向にスライドしてビス１７で固着することで、縦枠４の室内外側方向の取付け位置を調整できる。
したがって、基礎１０と外壁１１の段差（つまり、外壁１１の室外側面１１ａの基礎１０の室外側面１０ａからの突出寸法）が、前述の縦枠４のストロークＬ１以内で異なる場合に、縦枠４を下部アタッチメント２０に沿って前述のようにスライドすることで、同一の下部アタッチメント２０、上部アタッチメント３０を用いて縦枠４を取付けできると共に、縦枠４と外壁１１の室外側面１１ａとの間隔を同一にできるし、この縦枠４と基礎１０との間に隙間が生じることもない。
【００１６】
例えば、前記段差が大きい場合には上部アタッチメント３０が下部アタッチメント２０に対して室外側寄り位置となるので、縦枠４は下部アタッチメント２０に対しては室外側にスライドして室外側寄り位置で固着される。
また、前記段差が小さい場合には上部アタッチメント３０が下部アタッチメント２０に対して室内側寄り位置となるので、縦枠４は下部アタッチメント２０に対しては室内側にスライドして室内側寄り位置で固着される。
【００１７】
図２に示す状態は、下部アタッチメント２０の最も室外側寄り位置に縦枠４が固着され、前述の基礎１０と外壁１１の段差が前記縦枠４の最大ストロークＬ１の場合である。
そして、前述の段差が小さくなるに従って縦枠４が下部アタッチメント２０に沿って室内側に向けてスライドし、順次室内側寄り位置に固着される。
【００１８】
前記下部アタッチメント２０は図３に示すように、基部２１と一対の取付板２２で断面コ字状の長尺材、好ましくはアルミ押出形材で、その基部２１が基礎１０の室外側面１０ａに接するように設けられる。
前記縦枠４は一対の側面板４ａと連結板４ｂで、その一対の側面板４ａが、前記一対の取付板２２の外側面２２ａにスライド自在に嵌まり合う断面略コ字形状で、その連結板４ｂにパネル材取付部、例えば凹溝４ｃを有する。
【００１９】
このようであるから、縦枠４は、図３に示す位置から、その連結板４ｂが取付板２２の先端面２２ｂに当接するまで一対の取付板２２に沿ってスライドできる。
前記ビス１７はテクスビスであるから、取付板２２の任意の位置に螺合できる。
これによって、縦枠４の取付け位置をＬ１の範囲で任意とすることができる。
なお、テクスビスを用いずに取付板２２に形成した長孔からビスを裏板に螺合するようにしても良い。
【００２０】
前記上部アタッチメント３０は図４に示すように、基部３１と一対の取付板３２で断面コ字状の長尺材、好ましくはアルミ押出形材で、その基部３１が外壁１１の室外側面１１ａに固着具３３で固着して取付けられる。前記縦枠４の一対の側面板４ａが、一対の取付板３２の外側面３２ａにスライド自在に嵌まり合う。
前記上部アタッチメント３０の取付板３２の長さは縦枠４の側面板４ａの長さよりも若干長く、取付板３２の先端面３２ｂと連結板４ｂが接することで縦枠４の室内外側方向の位置決めをし、固着具、例えばビス１７で固着する。
これによって、側面板４ａと外壁１１の室外側面１１ａとの間隔を一定に保持する。
【００２１】
前記下部アタッチメント２０の取付板２２の長さＳ１は上部アタッチメント３０の取付板３２の長さＳ２よりも長く、この長さの差（Ｓ１−Ｓ２）＋Ｌ１が前述の基礎１０と外壁１１との段差の最大値で、この長さの差（Ｓ１−Ｓ２）＋Ｌ１よりも大きい段差であると縦枠４を隙間なく取付けできない。
つまり、図３、図４に示す下部、上部アタッチメント２０，３０の場合には（Ｓ１−Ｓ２）＋Ｌ１の範囲の段差に対応できる。
【００２２】
図３に示すように、下部アタッチメント２０の一対の取付板２２における長手方向中間部には切り取り用溝２４が形成してある。例えば第１・第２切り取り用溝２４ａ，２４ｂが長手方向に間隔を置いて形成してある。
これによって、取付板２２の長さを変更できる。例えば第１切り取り用溝２４ａで切り取ることで図５に示すように長さがＳ３（Ｓ１＞Ｓ３＞Ｓ２）となり、（Ｓ３−Ｓ２）+Ｌ１の範囲の段差に対応できる。
また第２切り取り用溝２４ｂで切り取ることで図６に示すように長さがＳ４（Ｓ１＞Ｓ３＞Ｓ４＝Ｓ２）となり、（Ｓ４−Ｓ２）+Ｌ１の範囲の段差に対応できる。
【００２３】
このようであるから、最小Ｌ１の範囲から最大（Ｓ１-Ｓ２）+Ｌ１の範囲の段差に対応できる。
【００２４】
また、取付板２２の長さが異なる複数の下部アタッチメント２０を製作準備するようにしても良い。
例えば、図７（ａ）に示すように長さＳ１の取付板２２を備えた下部アタッチメント２０と、図７（ｂ）に示すように長さＳ３の取付板２２を備えた下部アタッチメント２０と、図７（ｃ）に示すように長さＳ４の取付板２２を備えた下部アタッチメント２０を準備する。
【００２５】
また、上部アタッチメント３０を備え、縦枠４を外壁１１の室外側面１１ａと離隔させることができるので、図８に示すように水切り１６が外壁１１の室外側面１１ａよりも突出している場合には、下部アタッチメント２０，上部アタッチメント３０を水切り１６よりも室外側に突出させることで縦枠４を取付けできる。
【００２６】
また、縦枠４を外壁１１の室外側面１１ａに直接固着し、その縦枠４と基礎１０の室外側面１０ａとの隙間を下部アタッチメント２０で閉塞するようにしても良い。
例えば、図９と図１０に示すように、縦枠４の一対の側面板４ａを外壁１１の室外側面１１ａに接し、凹溝４ｃから固着具４ｄを外壁１１に固着して取付ける。
前記縦枠４の下部寄りの一対の側面板４ａを下部アタッチメント２０の一対の取付板２２にスライド自在に嵌合して固着具で固着する。
【００２７】
以上の各実施の形態は風除室について述べたが、風除室に限ることはなく、サンルーム等であっても良い。つまり、建家と隣接して設置されると共に、縦枠を基礎と外壁に亘って取付けるタイプの屋外構造物に適用できるものである。
【図面の簡単な説明】
【００２８】
【図１】風除室の外観斜視図である。
【図２】縦枠取付部の側面図である。
【図３】図２のＡ−Ａ拡大断面図である。
【図４】図２のＢ−Ｂ拡大断面図である。
【図５】取付板の長さを短くした下部アタッチメントと縦枠の横断面図である。
【図６】取付板の長さを更に短くした下部アタッチメントと縦枠の横断面図である。
【図７】取付板の長さの異なる下部アタッチメントと縦枠の横断面図である。
【図８】水切りが外壁よりも突出した場合の縦枠取付部の側面図である。
【図９】縦枠を外壁に直接固着した場合の縦枠取付部の側面図である。
【図１０】図９のＣ−Ｃ拡大断面図である。
【符号の説明】
【００２９】
１…風除室（屋外構造物）、４…縦枠、１０…基礎、１０ａ…室外側面、１１…外壁、１１ａ…室外側面、１７…ビス（固着具）、２０…下部アタッチメント、２０ａ…突出した部分、２１…基部、２２…取付板、２２ａ…外側面、２４…切り取り用溝、２４ａ…第１切り取り用溝、２４ｂ…第２切り取り用溝、３０…上部アタッチメント、３１…基部、３２…取付板、３３…固着具。
【図１】
2005273225.tif 000003
【図２】
2005273225.tif 000004
【図３】
2005273225.tif 000005
【図４】
2005273225.tif 000006
【図５】
2005273225.tif 000007
【図６】
2005273225.tif 000008
【図７】
2005273225.tif 000009
【図８】
2005273225.tif 000010
【図９】
2005273225.tif 000011
【図１０】
2005273225.tif 000012